【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
騒音が伝播する剛体と仮定できる材料の振動を低減する能動振動制御装置であって、
前記材料の振動加速度Ａ×ｅｉｗｔを測定する振動加速度計測部と、
前記振動加速度計測部にて計測された信号の位相を反転させると共に振幅の増減を行う信号調整部と、
前記信号調整部にて調整された調整信号に基づいて前記材料を加振圧力Ｆにて加振する加振器と、
前記振動加速度計測部にて計測される前記振動加速度Ａ×ｅｉｗｔの位相と前記加振器へ入力される前記調整信号の位相との位相差ｗτを、−π／２＜ｗτ＜π／２の範囲に調整するように事前に設定自在なアナログ回路から成る位相調整部とを備え、
上述の各パラメータが以下の（式１）に示す関係を有することを特徴とする能動振動制御装置。
Ｆ＝−Ｂ×ｅ−ｉｗτ（Ａ×ｅｉｗｔ＋Ｆ）          （式１）
ただし、Ｂは、前記加振器による加振圧力Ｆの増幅係数で正数。
【請求項２】
前記位相調整部は、少なくとも０Ｈｚ以上２００Ｈｚ以下の低周波数の振動に対して、前記位相差ｗτを、−π／２＜ｗτ＜π／２の範囲に調整するよう設定される請求項１に記載の能動振動制御装置。
【請求項３】
前記材料は、平面形状を有すると共に、平面に直交する方向視において中心点に対して点対称形状を有する平面状部材であり、
前記振動加速度計測部及び前記加振器を、前記中心点に配設する請求項１又は２に記載の能動振動制御装置。
【請求項４】
前記振動加速度計測部及び前記加振器は、一体に設けられている請求項１〜３の何れか一項に記載の能動振動制御装置。
【請求項５】
騒音が伝播する剛体と仮定できる材料の振動を低減する能動振動制御方法であって、
前記材料の振動加速度Ａ×ｅｉｗｔを計測する振動加速度計測部にて計測された信号の位相を反転させると共に振幅の増減を行う信号調整ステップと、
前記信号調整ステップにて調整された調整信号に基づいて前記材料を加振器により加振圧力Ｆにて加振する加振ステップと、
前記振動加速度計測部にて計測される前記振動加速度Ａ×ｅｉｗｔの位相と前記加振器に入力される前記調整信号の位相との位相差ｗτを、−π／２＜ｗτ＜π／２の範囲に調整するようにアナログ回路にて事前に設定する位相調整ステップとを有し、
上述の各パラメータが以下の（式１）に示す関係を有することを特徴とする能動振動制御方法。
Ｆ＝−Ｂ×ｅ−ｉｗτ（Ａ×ｅｉｗｔ＋Ｆ）        （式１）
ただし、Ｂは、前記加振器による加振圧力Ｆの増幅係数。
【手続補正２】
【補正対象書類名】明細書
【補正対象項目名】全文
【補正方法】変更
【補正の内容】
【発明の詳細な説明】
【発明の名称】能動振動制御装置、及び能動振動制御方法
【技術分野】
【０００１】
本発明は、騒音が伝播する剛体と仮定できる材料の振動を低減する能動振動制御装置、及び能動振動制御方法に関する。
【背景技術】
【０００２】
従来、騒音源からの騒音を低減する装置としては、特許文献１に示されるように、能動消音制御装置が知られており、当該能動消音制御装置は、騒音源からの騒音を検出する騒音検出手段と、騒音制御フィルタを備えると共に当該騒音制御フィルタの制御パラメータに基づいて騒音検出手段の検出信号から騒音を低減するための騒音低減信号を生成する消音制御部と、騒音低減信号に対応する騒音低減音を発生する騒音低減音発生手段と、騒音と騒音低減音との合成音を検出する合成音検出手段と、騒音検出手段の検出信号及び合成音検出手段の検出信号の双方に基づき騒音制御フィルタの制御パラメータをデジタル信号処理（ＤＳＰ）により決定するデジタル回路を有する適応制御部とを備えている。
上記特許文献１に開示の技術では、常時、変動することがある騒音の状態に応じた騒音低減音を騒音低減音発生手段から発生するべく、適応制御部が、騒音制御フィルタの制御パラメータを、逐次更新するように構成されている。
当該構成により、騒音の逐次変動に追従して騒音低減音を発生させ、逐次変動する騒音を良好に低減している。
【先行技術文献】
【特許文献】
【０００３】
【特許文献１】特開２０００−８９７６８号公報
【発明の概要】
【発明が解決しようとする課題】
【０００４】
しかしながら、従来の能動消音制御装置は、センサとして、騒音検出手段と合成音検出手段との２つの音検出手段を備える必要があると共に、騒音低減音発生手段としてスピーカを備える必要があるため、装置全体が大がかりになっていた。更には、デジタル信号処理（ＤＳＰ）を実行するデジタル回路を備える必要があり、構成が複雑となると共に、比較的高価となるため、一般的な住宅への普及を考えると実用的でなく、改善の余地があった。
【０００５】
本発明は、上述の課題に鑑みてなされたものであり、その目的は、特に、騒音の低減を良好に実現できると共に、比較的シンプルで経済性の高い能動振動制御装置、及び能動振動制御方法を提供する点にある。
【課題を解決するための手段】
【０００６】
上記目的を達成するための能動振動制御装置は、騒音が伝播する剛体と仮定できる材料の振動を低減する能動振動制御装置であって、その特徴構成は、
前記材料の振動加速度Ａ×ｅｉｗｔを測定する振動加速度計測部と、
前記振動加速度計測部にて計測された信号の位相を反転させると共に振幅の増減を行う信号調整部と、
前記信号調整部にて調整された調整信号に基づいて前記材料を加振圧力Ｆにて加振する加振器と、
前記振動加速度計測部にて計測される前記振動加速度Ａ×ｅｉｗｔの位相と前記加振器へ入力される前記調整信号の位相との位相差ｗτを、−π／２＜ｗτ＜π／２の範囲に調整するように事前に設定自在なアナログ回路から成る位相調整部とを備え、
上述の各パラメータが以下の（式１）に示す関係を有することを特徴とする点にある。
Ｆ＝−Ｂ×ｅ−ｉｗτ（Ａ×ｅｉｗｔ＋Ｆ）          （式１）
ただし、Ｂは、前記加振器による加振圧力Ｆの増幅係数で正数。
【０００７】
本願の発明者らは、鋭意研究した結果、剛体と仮定できる材料から成る仕切部に、屋外からの騒音によりＡ×ｅｉｗｔの振動加速度が生じており、加振器からの加振圧力をＦとし、加振器へ入力される調整信号の位相と、振動加速度計測部にて計測される仕切部での振動加速度Ａ×ｅｉｗｔとにτの遅延時間が生じており、加振圧力Ｆの増幅係数をＢとすると、上記（式１）の関係が成立すると考えた。
上記（式１）をＦについて解き、仕切部に加わっている圧力を表すと、以下の（式２）のようになる。
Ａ×ｅｉｗｔ＋Ｆ＝Ａ×ｅｉｗｔ／（１＋Ｂｅ−ｉｗτ）              （式２）
【０００８】
このときの減衰量ΔＬは、以下の（式３）で表される。
ΔＬ＝２０ｌｏｇ（１＋Ｂｅ−ｉｗτ）                  （式３）
【０００９】
上記（式３）から、減衰量ΔＬは、−π／２＜ｗτ＜π／２の範囲内ならば、Ｂが増加するほど増加する。一方、減衰量ΔＬは、−π／２＜ｗτ＜π／２の範囲外ならば、（１＋Ｂｅ−ｉｗτ）が１未満の値で負となり、（１＋Ｂｅ−ｉｗτ）が０となるときに−∞となりる。因みに、減衰量ΔＬが−∞のときは、ハウリングを起こすこととなる。
即ち、発明者らは、位相差ｗτを、−π／２＜ｗτ＜π／２の範囲内に調整すれば、騒音を低減できるという知見を得て、発明を完成するに至った。
因みに、発明者らは、後述する実施例により、位相差ｗτを、−π／２＜ｗτ＜π／２の範囲内に調整することで、騒音を良好に低減できることを確認している。
【００１０】
以上の如く、仕切部の振動加速度を計測する振動加速度計測部を設けると共に仕切部に加振圧力を加える加振器を設ける構成において、特に、位相差ｗτを、−π／２＜ｗτ＜π／２の範囲内に調整する位相調整部をアナログ回路にて設けることにより、屋外から屋内へ伝播する騒音の低減を良好に実現できると共に、比較的シンプルで経済性の高い能動振動制御装置を実現することができる。
【００１１】
能動振動制御装置の更なる特徴構成は、
前記位相調整部は、少なくとも０Ｈｚ以上２００Ｈｚ以下の低周波数の振動に対して、前記位相差ｗτを、−π／２＜ｗτ＜π／２の範囲に調整するよう設定される点にある。
【００１２】
通常、すべての周波数帯域において、位相差ｗτを、−π／２＜ｗτ＜π／２の範囲内に調整するように、位相調整部にて設定することは、比較的困難な場合が多い。
上記特徴構成によれば、位相調整部が、少なくとも０Ｈｚ以上２００Ｈｚ以下の低周波数の振動に対して、位相差ｗτを、−π／２＜ｗτ＜π／２の範囲に調整することで、すべての周波数帯域において位相差ｗτを調整する場合に比べて、比較的簡単に位相調整部の設定を実行できる。
結果、特に、低周波の騒音を良好に低減できる能動振動制御装置を実現でき、例えば、人の健康に影響を及ぼすことがあると考えられる低周波の騒音を発生する風力発電装置の近隣の住宅等において、好適に低周波の騒音を低減できる。
【００１３】
能動振動制御装置の更なる特徴構成は、
前記材料は、平面形状を有すると共に、平面に直交する方向視において中心点に対して点対称形状を有する平面状部材であり、
前記振動加速度計測部及び前記加振器を、前記中心点に配設する点にある。
【００１４】
発明者らは、鋭意研究することにより、平面形状を有すると共に、平面に直交する方向視において中心点に対して点対称形状を有する平面状部材を、対象の仕切部として選定し、振動加速度測定部及び加振器を、当該平面状部材の中心点に配設することで、中心点から外れた位置に配設する場合に比べ、より良好に騒音を低減できることを、実験的に確認している。
【００１５】
能動振動制御装置の更なる特徴構成は、
前記振動加速度計測部及び前記加振器は、一体に設けられている点にある。
【００１６】
上記特徴構成によれば、振動加速度計測部及び加振器を一体に設けることで、例えば、装置の設置作業を、より効率的で簡便で行うことができる。
【００１７】
上記目的を達成するための能動振動制御方法は、騒音が伝播する剛体と仮定できる材料の振動を低減する能動振動制御方法であって、その特徴構成は、
前記材料の振動加速度Ａ×ｅｉｗｔを計測する振動加速度計測部にて計測された信号の位相を反転させると共に振幅の増減を行う信号調整ステップと、
前記信号調整ステップにて調整された調整信号に基づいて前記材料を加振器により加振圧力Ｆにて加振する加振ステップと、
前記振動加速度計測部にて計測される前記振動加速度Ａ×ｅｉｗｔの位相と前記加振器に入力される前記調整信号の位相との位相差ｗτを、−π／２＜ｗτ＜π／２の範囲にアナログ回路にて調整する位相調整ステップとを有し、
上述の各パラメータが以下の（式１）に示す関係を有することを特徴とする点にある。
Ｆ＝−Ｂ×ｅ−ｉｗτ（Ａ×ｅｉｗｔ＋Ｆ）・・・・（式１）
ただし、Ｂは、前記加振器による加振圧力Ｆの増幅係数。
【００１８】
上記特徴構成によれば、これまで説明してきたように、屋外から屋内へ伝播する騒音の低減を良好に実現できると共に、比較的シンプルで経済性の高い能動振動制御補法を実現できる。
【図面の簡単な説明】
【００１９】
【図１】実施形態に係る能動振動制御装置の概略構成図
【図２】第１実施例において、ピックアップにて計測される振動加速度の位相と、加振器へ入力される調整信号の位相との位相差を示すグラフ図
【図３】第１実施例において、位相調整部を働かせているときの、ピックアップにて計測される振動加速度の位相と、加振器へ入力される調整信号の位相との位相差を示すグラフ図
【図４】第１実施例において、位相調整部を働かせているときの、ピックアップにて計測される振動加速度の振幅と、加振器へ入力される調整信号の振幅との振幅差を示すグラフ図
【図５】第１実施例において、７０Ｈｚの純音に対する制御結果を示すグラフ図
【図６】第１実施例において、７０Ｈｚ〜２００Ｈｚの複合音に対する制御結果を示すグラフ図
【図７】第１実施例において、７０Ｈｚの純音に対して制御を行った場合の窓ガラスのガラス面の振動分布を示すグラフ図
【図８】第２実施例において、ピックアップにて計測される振動加速度の位相と、加振器へ入力される調整信号の位相との位相差を示すグラフ図
【図９】第２実施例において、位相調整部を働かせているときの、ピックアップにて計測される振動加速度の位相と、加振器へ入力される調整信号の位相との位相差を示すグラフ図
【図１０】第２実施例において、７８Ｈｚの純音に対する制御結果を示すグラフ図
【図１１】第２実施例において、５０Ｈｚ〜２００Ｈｚの複合音に対する制御結果を示すグラフ図
【図１２】第２実施例において、１３０Ｈｚの純音に対して制御を行った場合の窓ガラスのガラス面の振動分布を示すグラフ図
【図１３】第３実施例において、ピックアップにて計測される振動加速度の位相と、加振器へ入力される調整信号の位相との位相差を示すグラフ図
【図１４】第３実施例において、位相調整部を働かせているときの、ピックアップにて計測される振動加速度の位相と、加振器へ入力される調整信号の位相との位相差を示すグラフ図
【図１５】第３実施例において、５０Ｈｚの純音に対する制御結果を示すグラフ図
【図１６】第３実施例において、５０Ｈｚ〜２００Ｈｚの複合音に対する制御結果を示すグラフ図
【図１７】第３実施例において、１０９Ｈｚの純音に対して制御を行った場合の窓ガラスのガラス面の振動分布を示すグラフ図
【発明を実施するための形態】
【００２０】
本発明の実施形態に係る能動振動制御装置１００、及び能動振動制御方法は、騒音の低減を良好に実現できると共に、比較的シンプルで経済性の高いものに関する。以下、図面に基づいて、本発明の実施形態を説明する。
【００２１】
実施形態に係る能動振動制御装置１００は、屋内での騒音を低減すべく屋外と屋内とを仕切る窓ガラスＧ（剛体と仮定できる材料の一例）の振動を低減するものであり、窓ガラスＧの振動加速度Ａ×ｅｉｗｔを測定するピックアップ１１（振動加速度計測部の一例）と、ピックアップ１１にて計測された信号の位相を反転させると共に振幅の増減を行うアンプ１３（信号調整部の一例）と、アンプ１３にて調整された調整信号に基づいて窓ガラスＧを加振圧力Ｆにて加振する加振器１４と、ピックアップ１１にて計測される振動加速度Ａ×ｅｉｗｔの位相と加振器１４へ入力される調整信号の位相との位相差ｗτを、−π／２＜ｗτ＜π／２の範囲に調整するように事前に設定自在なアナログ回路１２（位相調整部の一例）とを備えて構成されている。
説明を追加すると、ピックアップ１１、アナログ回路１２、アンプ１３、及び加振器１４は、電気的に接続されており、ピックアップ１１にて計測された信号は、アナログ回路１２にて位相差ｗτが上述の如く調整され、アンプ１３にて信号の位相が反転されると共に振幅が調整され、アンプ１３からの調整信号が加振器１４に入力され、加振器１４が窓ガラスＧを加振する。
【００２２】
尚、発明者らは、鋭意研究した結果、窓ガラスＧを剛体と仮定し、屋外からの騒音によりＡ×ｅｉｗｔの振動加速度が生じており、加振器１４からの加振圧力をＦとし、加振器１４へ入力される調整信号の位相と、ピックアップ１１にて計測される窓ガラスＧでの振動加速度Ａ×ｅｉｗｔとにτの遅延時間が生じており、加振圧力Ｆの増幅係数をＢとすると、上記（式１）の関係が成立すると考えた。
上記（式１）をＦについて解き、仕切部としての窓ガラスＧに加わっている圧力を表すと、以下の（式２）のようになる。
Ａ×ｅｉｗｔ＋Ｆ＝Ａ×ｅｉｗｔ／（１＋Ｂｅ−ｉｗτ）              （式２）
【００２３】
このときの減衰量ΔＬは、以下の（式３）で表される。
ΔＬ＝２０ｌｏｇ（１＋Ｂｅ−ｉｗτ）                  （式３）
【００２４】
上記（式３）から、減衰量ΔＬは、−π／２＜ｗτ＜π／２の範囲内ならば、Ｂが増加するほど増加する。
即ち、発明者らは、位相差ｗτを、−π／２＜ｗτ＜π／２の範囲内に調整すれば、騒音を低減できるという知見を得て、発明を完成するに至った。
【００２５】
そこで、位相調整部としてのアナログ回路１２は、制御を実行する前に、ピックアップ１１にて計測される振動加速度Ａ×ｅｉｗｔの位相と加振器１４へ入力される調整信号の位相との位相差ｗτを、−π／２＜ｗτ＜π／２の範囲に調整するよう、制御前に設定可能に構成されている。
尚、通常、すべての周波数帯域において、位相差ｗτを、−π／２＜ｗτ＜π／２の範囲内に調整するように、位相調整部にて設定することは、比較的困難な場合が多い。
そこで、アナログ回路１２では、少なくとも０Ｈｚ以上２００Ｈｚ以下の低周波数の振動に対して、位相差ｗτを、−π／２＜ｗτ＜π／２の範囲に調整するように設定することが好ましい。これにより、すべての周波数帯域において位相差ｗτを調整する場合に比べ、比較的簡単に位相調整部の設定を実行できる。
尚、アナログ回路１２は、公知のローパスフィルタと、位相操作専用のグラフィックイコライザとを備えることが好ましい。
【００２６】
当該実施形態に係る能動振動制御装置１００にあっては、上述した位相差ｗτを、−π／２＜ｗτ＜π／２の範囲に調整するべく、ピックアップ１１及び加振器１４は、両者は近接して設けられることが好ましい。当該実施形態にあっては、両者は、夫々が窓ガラスＧのガラス面の一方面と他方面の何れかに接触した状態で、窓ガラスＧのガラス面に直交する方向視において、互いに重なるように配設されている。
【００２７】
更に、以下の実施例に示すように、発明者らは、平面形状を有すると共に、平面に直交する方向視において中心点に対して点対称形状を有する平面状部材から成る窓ガラスＧを仕切部として採用し、ピックアップ１１及び加振器１４を、上述の中心点に配設する構成が、騒音低減の効果を高める上で、好ましいことを確認している。
【００２８】
以上の能動振動制御装置１００を用いた能動振動制御方法は、窓ガラスＧの振動加速度Ａ×ｅｉｗｔを計測するピックアップ１１にて計測された信号の位相を反転させると共に振幅の増減を行う信号調整ステップと、信号調整ステップにて調整された調整信号に基づいて窓ガラスＧを加振器１４により加振圧力Ｆにて加振する加振ステップと、ピックアップ１１にて計測される振動加速度Ａ×ｅｉｗｔの位相と加振器１４に入力される調整信号の位相との位相差ｗτを、−π／２＜ｗτ＜π／２の範囲にアナログ回路にて調整する位相調整ステップと、を含むものである。
尚、上述の各パラメータは、以下の（式１）に示す関係を有する。
Ｆ＝−Ｂ×ｅ−ｉｗτ（Ａ×ｅｉｗｔ＋Ｆ）・・・・（式１）
ただし、Ｂは、前記加振器による加振圧力Ｆの増幅係数。
【００２９】
以下、本願の能動振動制御装置１００及び能動振動制御方法の効果を確認するべく、行った実施例について説明する。
因みに、以下の実施例にあっては、種々の周波数帯域の音波を発生する発信器２１と、当該音波の位相、振幅等を調整可能なグラフィックイコライザ２２と、グラフィックイコライザ２２からの信号に基づいて疑似騒音を発生するスピーカ２３とからなる仮想の騒音源２００から、疑似騒音を出力している。
【００３０】
因みに、以下に示す実施例においては、グラフィックイコライザ２２として、ＹＡＭＡＨＡのＱ２０３１Ｂを使用し、スピーカ２３としては、ＳＯＮＹのＳＡ−Ｗ３０００を使用し、ピックアップ１１としては、ＲＩＯＮのＰＶ−４１を使用し、アンプ１３としては、ＳＯＮＹのＦＡ５ＥＳを使用し、加振器１４としては、アクーヴ・ラボのＶｐ６０４を使用した。
【００３１】
〔実施例１〕
当該実施例１は、窓ガラスＧの厚みを３ｍｍとし、ピックアップ１１及び加振器１４を、窓ガラスＧのガラス面に直交する方向視で、ガラス面の水平方向及び鉛直方向の双方での中央位置（中心点に相当）に配設した場合の実施例である。当該実施例１では、ピックアップ１１として、ＰＶ−４１を使用し、加振器１４としては、ＶＰ６０４を使用した。
図２は、ピックアップ１１にて計測される振動加速度の位相と、加振器１４へ入力される調整信号の位相との位相差ｗτを示すグラフ図であり、１０００Ｈｚ以下では、１５０Ｈｚや３００Ｈｚ等の一部の周波数を除き、位相差ｗτは−π／２＜ｗτ＜π／２に収まっている。本願にあっては、低周波としての２００Ｈｚ以下の振動の制御を試みるべく、図３に示すように、１５０Ｈｚ付近の振動の位相差ｗτを−π／２＜ｗτ＜π／２に調整した。因みに、２００Ｈｚを超える周波数については、図４に示すように、アナログ回路１２を構成するローパスフィルタを用いて、緩やかにレベルを落とすように調整した。
【００３２】
位相及び振幅の調整後、窓ガラスＧの中央の共振周波数であった７０Ｈｚの純音、及び７０Ｈｚから２００Ｈｚまでの複合音に対して能動制御を行った。制御前と制御後を比較した制御結果を図５、６に示す。制御対象の７０Ｈｚでは、図５に示すように、２０ｄＢの減少が得られた。制御対象である７０Ｈｚから２００Ｈｚでは、図６に示すように、平均で５ｄＢ、減少量が最大となった７０Ｈｚでは２０ｄＢの減少が得られた。以上より、純音でも複合音でも、それぞれの周波数で同程度の減少量が得られていることがわかる。
【００３３】
次に、制御帯域において最も減衰量が多かった周波数（７０Ｈｚ）の純音を対象に制御を行った際の窓ガラスＧのガラス面の振動分布を測定した。図７に、ガラス面の１／４について１６点で制御前後の振動加速度レベルを示す。能動制御によって１６点中１５点で減少が得られた。減少した１５点のうち、７点では１０ｄＢ以上の減少が得られ、１６点の減少平均は、９ｄＢであった。増加した１点は、振動の節の位置であり、１ｄＢの増加に留まった。当該結果から、窓ガラスＧのガラス面の上下左右の中央（中心点）にピックアップ１１及び加振器１４を配置した場合、一台の加振器１４にて窓ガラス全面の振動低減が可能であるといえる。
【００３４】
〔実施例２〕
当該実施例２は、窓ガラスＧの厚みを３ｍｍとし、ピックアップ１１及び加振器１４を、窓ガラスＧのガラス面に直交する方向視で、ガラス面の水平方向で中央位置で且つ鉛直方向で上端位置に配設した場合の実施例である。当該実施例２では、ピックアップ１１として、ＰＶ−４１を使用し、加振器１４としては、Ｖｐ６０４を使用した。
図８は、ピックアップ１１にて計測される振動加速度の位相と、加振器１４へ入力される調整信号の位相との位相差ｗτを示すグラフ図であり、〔実施例１〕と比較して４０Ｈｚ付近の位相の進みがやや大きいものの、位相差ｗτについては概ね同様の傾向が見られた。１０００Ｈｚ以下では、４０Ｈｚ及び８５Ｈｚ付近の一部の周波数を除き、加振器１４の位相差ｗτは−π／２＜ｗτ＜π／２に収まっている。
しかし、本研究では２００Ｈｚ以下の振動の制御を試みるため、４０Ｈｚ及び８５Ｈｚ付近の振動の位相を−π／２＜ｗτ＜π／２に調整する必要がある。また、位相差ｗτを−π／２＜ｗτ＜π／２にすることが困難な高周波振動については、加振器１４への調整信号のレベルを落とすよう試みた。
８５Ｈｚ付近の位相差ｗτは−π／２＜ｗτ＜π／２となるように調整を行った。当該実施例２では、１６０Ｈｚから緩やかにレベルを落とすローパスフィルタ（６ｄＢ／ｏｃｔ）を用いて位相及びレベルの調整を行った。図９に結果を示す。π／２以上の位相差ｗτが生じた４０Ｈｚ及び８５Ｈｚについて、８５Ｈｚ付近については位相差ｗτが−π／２＜ｗτ＜π／２に調整できていることがわかる。一方で４０Ｈｚ付近についても調整を試みたが、本実験に用いたアナログフィルタでは位相差ｗτを−π／２＜ｗτ＜π／２に調整することは困難であった。４０Ｈｚ付近についてレベルを落とすことについても試みたが、レベルを落とすと周辺周波数の位相差ｗτが増加するため、レベルを落とす調整も困難であった。
【００３５】
位相及び振幅の調整後、窓ガラスＧの中央の共振周波数であった７８Ｈｚの純音、及び５０〜２００Ｈｚの複合音に対してガラス面の水平方向で中央位置で且つ鉛直方向で上端位置で能動制御を行った。制御前と制御後を比較した制御結果を図１０、１１に示す。７８Ｈｚでは、図１０に示すように、わずかな減少が得られた。また、４０Ｈｚ付近で、制御後が制御前に比べ増加しているが、これは位相差ｗτがπ／２以上の位相差ｗτが生じているためと考えられる。
制御対象である５０Ｈｚから２００Ｈｚでは、図１１に示すように、平均で３．５ｄＢ、減少量が最大となった１３０Ｈｚでは９ｄＢの減少が得られた。
【００３６】
次に、１３０Ｈｚの純音を対象に制御を行った際のガラス面の振動分布を測定した。図１２に、ガラス面の１／４について１６点で制御前後の振動加速度レベルを示す。能動制御によって１６点中１３点で減少が得られた。減少した１５点のうち２点では１０ｄＢ以上の減少が得られ、１６点の減少平均は４ｄＢであった。増加してしまった３点は振動の節の位置であり、最も増加した位置の増加量は６ｄＢであった。この結果から、ガラス面の水平方向で中央位置で且つ鉛直方向で上端位置においても一定の制御効果が得られた。
しかし、ガラス面全体の制御を考慮すると、ガラス面中央で制御を行う方がより有効であると考えられる。
即ち、〔実施例１〕及び〔実施例２〕の比較により、ピックアップ１１及び加振器１４は、窓ガラスＧの左右上下中央に配置することが、低周波の騒音低減の上では、好ましいと言える。
【００３７】
〔実施例３〕
当該実施例３は、窓ガラスＧの厚みを５ｍｍとし、ピックアップ１１及び加振器１４を、窓ガラスＧのガラス面に直交する方向視で、ガラス面の水平方向及び鉛直方向の双方での中央位置（中心点に相当）に配設した場合の実施例である。当該実施例３では、ピックアップ１１として、ＰＶ−４１を使用し、加振器１４としては、ＶＰ６０４を使用した。
図１３は、ピックアップ１１にて計測される振動加速度の位相と、加振器１４へ入力される調整信号の位相との位相差ｗτを示すグラフ図であり、１０００Ｈｚ以下では、１１０Ｈｚ、２５０Ｈｚ付近の一部の周波数を除き、位相差ｗτは−π／２＜ｗτ＜π／２に収まっている。本願にあっては、低周波としての２００Ｈｚ以下の振動の制御を試みるべく、図１４に示すように、１１０Ｈｚ付近の振動の位相を−π／２＜ｗτ＜π／２に調整する必要がある。また、位相差ｗτを−π／２＜ｗτ＜π／２にすることが困難な２００Ｈｚを超える高周波振動については、ローパスフィルタ（６ｄＢ／Ｏｃｔ）を用いて、加振器１４への調整信号のレベルを落とすよう試みた。
【００３８】
π／２以上の位相差ｗτが生じた１１０Ｈｚ及び２５０Ｈｚ付近について、位相差ｗτが−π／２＜ｗτ＜π／２に調整できていることがわかる。なお、３ｍｍガラスの際と比較して、高範囲に渡って位相差ｗτを−π／２＜ｗτ＜π／２に調整することは、結果的にはできたものの非常に困難であった。
【００３９】
位相及び振幅の調整後、窓ガラスＧのガラス面の水平方向及び鉛直方向の双方での中央位置の共振周波数であった５０Ｈｚの純音、５０〜２００Ｈｚの複合音に対してガラス中央で能動制御を行った。制御前と制御後を比較した制御結果を、図１５、図１６に示す。
制御対象である５０Ｈｚでは、図１５に示すように、５ｄＢの減少が得られた。５０Ｈｚから２００Ｈｚでの複合音では、図１６に示すように、平均で５ｄＢ、減少量が最大となった１０９Ｈｚでは１６ｄＢの減少が得られた。一方で、制御帯域の中で８０Ｈｚ付近や２００Ｈｚ付近を含む多くの帯域では減少がほとんど得られなかった。この原因は位相差ｗτがπ／２に近かった周波数が多かったためと考えられる。
【００４０】
次に、周波数１０９Ｈｚの純音を対象に制御を行った際の窓ガラスＧのガラス面の振動分布を測定した。図１７に、ガラス面の１／４について１６点で制御前後の振動加速度レベルを示す。能動制御によって１６点中全ての点で１０ｄＢ以上の減少が得られた。１６点の減少平均は１４ｄＢであった。３ｍｍ厚のガラスにおけるガラス面中央における制御結果（平均９ｄＢ）と比較して、本条件では減少量が大きく節の位置及び腹の位置に関係なく同様の減少量が得られた。この原因については今回制御対象とした１０９Ｈｚは、縦方向にきれいなモードができるシンプルな振動であったため、落としやすかったのではないかと思われる。この結果から、本条件においても加振器１台でガラス面全体の振動低減が可能であると考えられる。
【００４１】
〔別実施形態〕（１）上記実施形態では、振動加速度測定部としてのピックアップ１１と、加振器１４とは、窓ガラスＧを挟む状態で、個別に設けられる構成例を示した。
しかしながら、窓ガラスＧのガラス面の一方側に、ピックアップ１１と加振器１４との双方を設ける構成を採用しても構わない。
また、ピックアップ１１と加振器１４とは別体でなく、一体としても構わない。
【００４２】
（２）上記実施形態にあっては、信号調整部としてのアンプ１３と、位相調整部としてのアナログ回路１２とは、別体として設ける構成例を示したが、両者は、一体として設けても構わない。
【００４３】
（３）上記実施形態において、剛体として仮定できる材料は、窓ガラスである例を示した。しかしながら、剛体と仮定できる材料からなるものであれば、いかなるものも対象となり得、例えば、屋内と屋外を仕切る建物の外壁や内壁も対象となり得る。
【００４４】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００４５】
本発明の能動振動制御装置、及び能動振動制御方法は、騒音の低減を良好に実現できると共に、比較的シンプルで経済性の高い能動振動制御装置、及び能動振動制御方法として、有効に利用可能である。
【符号の説明】
【００４６】
１１    ：ピックアップ
１２    ：アナログ回路
１３    ：アンプ
１４    ：加振器
１００  ：能動振動制御装置
Ｆ      ：加振圧力
Ｇ      ：窓ガラス
ｗτ    ：位相差